(57)【要約】【課題】捻鍼術や雀啄術による治療を、鍼灸師の熟練の程度にかかわらず簡易にかつ長時間にわたって均等に行うことができる鍼治療装置を提供する。【解決手段】鍼治療装置１０は、円筒状の中空のケース本体１１を設けている。ケース本体内には、軸方向の一端側に鍼が取り付けられる鍼支持部１８が回動可能に支持されており、その軸方向内方には回動変換部２１が設けられている。回動変換部の軸方向他端側には電動モータ２７が設けられており、ケースの他端側には電池２９が収容されている。回動変換部は、電動モータの回転軸に連結されると共に鍼支持部に連結されて、電動モータの回転を左右回りの回動動作に変換して鍼支持部に伝達するものである。【選択図】    図１
2005027881.tif 000002
【特許請求の範囲】
【請求項１】
筒状のケースと、該ケースの軸方向一端側にて同軸状にかつ回転可能に支持されて、先端側に鍼が軸方向外方に突出した状態で同軸状に取り付けられる鍼支持部と、該ケース内に収容された電動モータと、該電動モータに給電する電源装置と、該電動モータと前記鍼支持部間に配設されて該電動モータの回転動作を軸方向を中心とした所定角度の左右回りの繰り返しである左右回動動作に変換して該鍼支持部に伝達する回動変換部とを備えたことを特徴とする鍼治療装置。
【請求項２】
前記回動変換部が、前記左右回りの回動動作の速度を変更可能な可変機構を設けたことを特徴とする前記請求項１に記載の鍼治療装置。
【請求項３】
筒状のケースと、該ケースの軸方向一端側にて同軸状にかつ回転可能に支持されて、先端側に鍼が軸方向外方に突出した状態で同軸状に取り付けられる鍼支持部と、該ケース内に収容された電動モータと、該電動モータに給電する電源装置と、該電動モータと前記鍼支持部間に配設されて該該電動モータの回転動作を軸方向の往復動作に変換して該鍼支持部に伝達する直進変換部とを備えたことを特徴とする鍼治療装置。
【請求項４】
前記直進変換部が、前記往復動作の速度を変更可能な可変機構を設けたことを特徴とする前記請求項３に記載の鍼治療装置。
【発明の詳細な説明】
【０００１】
【発明の属する技術分野】
本発明は、鍼治療に用いる鍼治療装置に関する。
【０００２】
【従来の技術】
従来、鍼治療については、専ら鍼灸術に熟練した鍼灸師の手によって行われてきた。鍼術にはいろいろあるが、人体に鍼を刺入した後、鍼を左右回りに繰り返し回動させる捻鍼術と、鍼を刺入後に少し抜いたり刺したりする雀啄術とが主なものである。捻鍼術は、１００〜５００回転／分で鍼を均一に左右回りに回動させることにより、治療効果が増大する。雀啄術も同様に、鍼を前後に繰返して速く均一に動かすことにより、治療効果が増大する。捻鍼術と雀啄術の使用は、患者の状態や部位によって変えられる。しかし、人手によってこれらの鍼操作を均等に行うことは非常に熟練を要するものであり、そのため治療を行う鍼灸師によって鍼治療の効果にばらつきがあった。また、たとえ熟練した鍼灸師ではあっても、頻繁にかつ長時間にわたって均一な鍼治療を行うことは困難であった。
【０００３】
【発明が解決しようとする課題】
本発明は、上記した問題を解決しようとするもので、捻鍼術や雀啄術による治療を、鍼灸師の熟練の程度にかかわらず簡易にかつ長時間にわたって均等に行うことができる鍼治療装置を提供することを目的とする。
【０００４】
【課題を解決するための手段】
上記目的を達成するために上記請求項１の発明の構成上の特徴は、筒状のケースと、ケースの軸方向一端側にて同軸状にかつ回転可能に支持されて、先端側に鍼が軸方向外方に突出した状態で同軸状に取り付けられる鍼支持部と、ケース内に収容された電動モータと、電動モータに給電する電源装置と、電動モータと鍼支持部間に配設されて電動モータの回転動作を軸方向を中心とした所定角度の左右回りの繰り返しである左右回動動作に変換して鍼支持部に伝達する回動変換部とを備えたことにある。
【０００５】
上記のように構成した請求項１の発明においては、ケース内に収容された電動モータの回転動作が、回動変換部によって軸方向を中心とした所定角度の左右回りの繰り返しである左右回動動作に変換されて鍼支持部に伝えられる。これにより、鍼支持部に一体で取り付けられた鍼の左右回りの回動動作が一定速度で繰り返し行われる。その結果、請求項１の発明においては、鍼灸師の熟練度によらず、一定の速度で鍼を左右回りに回動させる捻鍼術を施すことができるので、常に良好な治療効果を得ることができる。また、請求項１の発明によれば、熟練した鍼灸師でも、長時間にわたって同一内容の治療を行うことができるので便利である。また、ケースは小型でかつ装置全体として軽量であり、鍼灸師が手で持って簡単に治療を行うことができる。
【０００６】
また、上記請求項２の発明の構成上の特徴は、前記請求項１に記載の鍼治療装置において、回動変換部が、左右回りの回動動作の速度を変更可能な可変機構を設けたことにある。これにより、可変機構によって治療内容に応じて鍼の左右の回動の速度を所定範囲内例えば１００〜５００回転／分の範囲内で自由に変えることができ、回転速度に応じた捻鍼術の治療効果が確実に得られる。
【０００７】
また、上記請求項３の発明の構成上の特徴は、筒状のケースと、ケースの軸方向一端側にて同軸状にかつ回転可能に支持されて、先端側に鍼が軸方向外方に突出した状態で同軸状に取り付けられる鍼支持部と、ケース内に収容された電動モータと、電動モータに給電する電源装置と、電動モータと鍼支持部間に配設されて電動モータの回転動作を軸方向の往復動作に変換して鍼支持部に伝達する直進変換部とを備えたことにある。
【０００８】
上記のように構成した請求項３の発明においては、ケース内に収容された電動モータの回転動作が直進変換部によって軸方向の往復動作に変換されて鍼支持部に伝えられる。これにより、鍼支持部に一体で取り付けられた鍼の軸方向の往復動作が一定速度で繰り返し行われる。その結果、請求項３の発明においては、鍼灸師の熟練の程度によらず、一定の速度で鍼を抜き差しさせる雀啄術を施すことができるので、常に良好な治療効果を得ることができる。また、請求項３の発明によれば、熟練した鍼灸師でも、長時間にわたって同一内容の治療を行うことができるので便利である。また、ケースは小型でかつ装置全体として軽量であり、鍼灸師が手で持って簡単に治療を行うことができる。
【０００９】
また、上記請求項４の発明の構成上の特徴は、前記請求項３に記載の鍼治療装置において、直進変換部に、往復動作の速度を変更可能な可変機構を設けたことにある。これにより、直進変換部の可変機構により、治療内容に応じて鍼の抜き差しの速度を変えることができ、それに応じた雀啄術の治療効果が確実に得られる。
【００１０】
【発明の実施の形態】
以下、本発明の一実施の形態について図面を用いて説明する。図１は、第１実施形態である捻鍼術用の鍼治療装置の概略構成を一部破断正面図により示したものであり、図２は回動変換部の概略構成を模式図により示したものである。この鍼治療装置１０は、プラスチックあるいは金属製の円筒状の中空のケース本体１１を有しており、ケース本体１１の軸方向一端（図示左端）にてケース本体１１と共にケースを構成するプラスチックあるいは金属製の筒状の保護部材１２がケース本体１１外周に圧入により挿嵌固定されている。保護部材１２は、両端が開放されており、ケース本体１１に挿嵌される取付部１３と、外方に向けて縮径された漏斗状に傾斜した円錐部１４と、鍼１６が挿通される径の小さい鍼管部１５とが軸方向にかつ同軸状に一体で配列されている。鍼１６は、鍼管部１５の先端からわずかに外方に突出している。取付部１３のケース本体１１への挿嵌量を変えることにより、鍼１６の鍼管部１５からの突出寸法を調節することができる。
【００１１】
ケース本体１１内には、軸方向の一端側に鍼支持部１８が設けられている。鍼支持部１８は、ケース本体１１の軸方向一端面を貫通した固定部１９を設けており、固定部１９によって鍼１６が着脱可能に支持される。鍼支持部１８は、その軸方向内方にてケース本体１１に固定された回動変換部２１の一端側に回転自在に支持されている。回動変換部２１の軸方向他端側には、電動モータ２７がケース本体１１に固定されて配設されており、さらにケース本体１１の他端側には、駆動電源である電池２９がケース本体１１に固定されて収容されている。
【００１２】
回動変換部２１は、円筒形のケースの内部に挿入された鍼支持部１８を回動可能に支持する支持部２２を設けており、支持部２２に支持された鍼支持部１８の軸方向他端には円形の変換板２３が同軸的に取り付けられている。変換板２３は、図３（ａ）に示すように、中心と外周間で径方向に延びると共に板を貫通した細長い係合孔２３ａを有している。一方、電動モータ２７の回転軸２８の先端には、歯車２６が同軸的に取り付けられており、この歯車２６には、歯車２５が噛合わされている。歯車２５の中心には、回転軸２５ａが一体で取り付けられて、図示しないブラケットにより回動変換部２１の内壁に回転可能に取り付けられている。回転軸２５ａの一端側には円形の回転板２４が、一体で取り付けられており、変換板２３に対向すると共に近接して配置されている。そして、回転板２４には、図３（ｂ）に示すように、変換板２３と対向する面の外周側に係合突起２４ａが設けられており、変換板２３の係合孔２３ａに係合している。
【００１３】
回動変換部２１においては、電動モータ２７の回転が、歯車２６を介して歯車２５に伝達され、歯車２５の回転により回転板２４が回転する。回転板２４の回転に伴って回転板２４に設けた係合突起２４ａが、変換板２３の径方向に延びた直線状の係合孔２３ａに係合した状態で回転する。回転板２４が図４で右回りに回転するものとすると、図４（ａ）に示すように、係合突起２４ａが係合孔２３ａの係方向外端から内端に向けて移動することにより、変換板２３を図示右回りに回動させる。また、図４（ｂ）に示すように、係合突起２４ａが係合孔２３ａの係方向内端から外端に向けて移動することにより、変換板２３を図示左回りに回動させる。
【００１４】
このように、回転板２４の回転による係合突起２４ａの回転により、変換板２３が略中心角９０°の範囲内で左右回りの回動を繰り返し行うことができる。それにより、支持板２３に取り付けられた鍼支持部１８も、同様に左右回りの回動動作を繰り返し行い、鍼支持部１８の先端に取り付けられた鍼１６に左右回りの回動動作を伝える。なお、鍼１６の取り替えについては、保護部材１２を取り外して、鍼支持部１８の取り付けを外すことにより行うことができる。また、電池２９の交換については、ケース本体１１の他端側の蓋を取り外すことにより行われる。
【００１５】
上記構成の第１実施形態においては、ケース本体１１内に収容された電動モータ２７の回転動作が回動変換部２１によって略９０°の範囲で軸方向を中心とした左右回りの繰り返し回動動作に変換されて、鍼支持部１８に支持された鍼１６に伝えられる。そのため、鍼１６を患者の体に刺した状態で、常に一定速度で鍼１６を左右回りに回動させることができる。その結果、鍼灸師の熟練の程度によらず、一定の回転数で鍼を左右回りに回動させる捻鍼術を施すことができるので、常に良好な治療効果を得ることができる。また、熟練した鍼灸師でも、長時間にわたって同一内容の治療を行うことができるので便利である。また、本実施形態の鍼治療装置は、ケース本体１１が小型でかつ装置全体として軽量であり、鍼灸師が手で持って簡単に治療を行うことができるので非常に便利である。
【００１６】
なお、第１実施形態においては、回動変換部２１は、電動モータ２７の回転を単一速度の左右回りの回動に変換するものであるが、変形例として、歯車の組合せを切り替えられるようにすることにより、複数種類の速度に切り替えることが可能である。この場合、ケース本体１１の外壁に切替えスイッチを設けて、手で切替えスイッチを操作することにより鍼１６の左右回りの回動速度を選択できるようにすることが可能である。それにより、治療内容に応じて鍼１６の回動速度を１００〜５００回転／分の範囲で変えることができ、それに応じた捻鍼術の治療効果が確実に得られる。
【００１７】
つぎに、第２実施の形態について図面を用いて説明する。
本実施形態である雀啄術用の鍼治療装置１０Ａについては、図５に示すように、上記鍼治療装置１０と基本的には同一構成であり、上記回動変換部２１の代りに直進変換部３１を設けた点のみが第１実施形態と異なっている。その他の構成については上記第１実施形態に示した鍼治療装置１０と同様である。
【００１８】
直進変換部３１は、円筒形のケースの内部に挿入された鍼支持部１８を回動可能に支持する支持部３２を設けており、支持部３２に支持された鍼支持部１８の軸方向他端には継手３３を介して水平方向に揺動可能に支持された変換棒３４を設けている。変換棒３４の他端側には、円形の回転板３６が水平に配置されている。回転板３６は、その中心に取り付けられて下方に延びた回転軸３６ａが図示しないブラケットによって直進変換部３１の内壁に回転自在に固定されることにより水平状態で支持されている。回転板３６の上面の外周側には継手３５が固定されており、継手３５に、変換棒３４の他端が回動可能に取り付けられている。また、回転軸３６ａの下端には、傘型の歯車３７が取り付けられている。
【００１９】
一方、電動モータ２７の回転軸２８の先端には、歯車４１が同軸的に取り付けられており、この歯車４１には、歯車３９が噛合わされている。歯車３９の中心には、回転軸３９ａが一体で取り付けられて、図示しないブラケットにより直進変換部３１の内壁に回転自在に取り付けられている。回転軸３９ａの一端側には歯車３７に噛合う傘型の歯車３８が一体で取り付けられている。
【００２０】
直進変換部３１では、電動モータ２７の回転が、歯車４１を介して歯車３９に伝達され、歯車３９の回転により回転軸３９ａに取り付けられた歯車３８が回転する。さらに歯車３８の回転が歯車３７の回転に変換され、歯車３７に回転軸３６ａで連結された回転板３６が回転する。回転板３６の回転に伴って、図７（ａ）〜（ｃ）に示すように、回転板３６に設けた継手３５が回転することにより、継手３５に回動自在に取り付けられた変換棒３４が継手３３を中心として所定角度で回動する。それにより、鍼支持部１８が軸方向に押し引きされる往復動作を繰り返し行い、鍼支持部１８に固定された鍼１６が軸方向に往復動作を行う。
【００２１】
上記構成の第２実施形態においては、ケース本体１１内に収容された電動モータ２７の回転が直進変換部３１によって軸方向の往復運動に変換されて鍼支持部１８に支持された鍼１６に伝えられる。そのため、鍼１６を患者の体に刺した状態で、常に一定速度で鍼１６を軸方向に前後進を繰り返させることができる。その結果、鍼灸師の熟練の程度によらず、一定の回転数で鍼１６を抜き差しする雀啄術を施すことができるので、常に良好な治療効果を得ることができる。さらに、この鍼治療装置１０Ａを用いることにより、熟練した鍼灸師でも、長時間にわたって同一内容の治療を行うことができるので便利である。また、鍼治療装置１０Ａは、ケース本体１１が小型でかつ装置全体として軽量であり、鍼灸師が手で持って簡単に治療を行うことができるので非常に便利である。
【００２２】
なお、第２実施形態においては、回動変換部２１は、電動モータ２７の回転を単一速度の軸方向の往復動作に変換するものであるが、変形例として、歯車の組合せを切り替えられるようにすることにより、複数種類の速度に切り替えることが可能である。この場合、ケース本体１１の外壁に切替えスイッチを設けて、手で切替えスイッチを操作することにより、直進変換部３１による鍼１６の軸方向の往復速度を選択できるようにすることが可能である。それにより、鍼１６の抜き差しの速度に応じた雀啄術の治療効果が確実に得られる。
【００２３】
なお、上記各実施形態においては、電源として電池を用いているが、これに限らず、変圧装置を設けて商用１００ボルト電源からの電圧を変圧して使用するような構成としてもよい。その他、上記実施形態に示した鍼治療装置については一例であり、本発明の趣旨を逸脱しない範囲で種々変更して実施することが可能である。
【００２４】
【発明の効果】
上記請求項１の本発明によれば、ケース内に収容された電動モータの回転が、回動変換部によって左右回りの回動に変換して鍼支持部に支持された鍼に伝えられるため、常に一定速度で鍼を左右回りに繰り返し回動させることができる。その結果、鍼灸師の熟練の程度によらず、常に良好な捻鍼術の治療効果を得ることができる。また、請求項２の発明によれば、電動モータの回転を直進変換部によって軸方向の前後進運動に変換して鍼に伝えることにより常に一定速度で鍼を抜き差しさせることができる。その結果、鍼灸師の熟練の程度によらず、常に良好な雀啄術による治療効果を得ることができる。また、鍼の左右回りの回動動作の速度あるいは軸方向の往復動作の速度を可変とすることにより、速度に応じた捻鍼術あるいは雀啄術の治療効果が得られる（請求項２、４の発明の効果）。
【図面の簡単な説明】
【図１】本発明の第１実施形態である捻鍼術用の鍼治療装置を概略的に示す一部破断正面図である。
【図２】同鍼治療装置の回動変換部を概略的に示す説明図である。
【図３】同鍼治療装置の変換板及び回転板を概略的に示す側面図である。
【図４】変換板と回転板の係合状態を説明する説明図である。
【図５】第２実施形態である雀啄術用の鍼治療装置を概略的に示す一部破断正面図である。
【図６】同鍼治療装置の直線変換部を概略的に示す説明図である。
【図７】同鍼治療装置の回転板の回転と鍼の動きとの関係を説明する説明図である。
【符号の説明】
１０…鍼治療装置、１１…ケース本体、１２…保護部材、１５…鍼管部、１６…鍼、１８…鍼支持部、２１…回動変換部、２７…電動モータ、２９…電池、３１…直進変換部。
【図１】
2005027881.tif 000003
【図２】
2005027881.tif 000004
【図３】
2005027881.tif 000005
【図４】
2005027881.tif 000006
【図５】
2005027881.tif 000007
【図６】
2005027881.tif 000008
【図７】
2005027881.tif 000009